(57)【特許請求の範囲】
【請求項１】
開放方向で機器の出入りが行われるステップ板と、
前記ステップ板を開閉可能に支持する支持手段と、
前記ステップ板の開放及び当該ステップ板に加わる荷重を検出する検出手段と、
前記検出手段からの検出信号に基づいて、前記ステップ板を開放しているとき又は当該ステップ板に荷重が加わっているときに前記機器を停止させる制御手段と
を備えてなることを特徴とするステップ装置。
【請求項２】
開放方向で機器の出入りが行われるステップ板と、
前記ステップ板を開閉可能に支持する支持手段と、
前記支持手段にかかる荷重から前記ステップ板の開放及び当該ステップ板上の物品の有無を検出する検出手段と、
前記検出手段からの検出信号に基づいて、前記ステップ板を開放しているとき又は当該ステップ板上に物品があるときに前記機器を停止させる制御手段と
を備えてなることを特徴とするステップ装置。
【請求項３】
開放方向で機器の出入りが行われるステップ板と、
前記ステップ板を開閉可能に支持する支持手段と、
前記支持手段にかかる荷重を検出する検出手段と、
前記ステップ板を閉じていて当該ステップ板上に物品が置かれていないときの前記支持手段にかかる荷重を基準とした荷重変動を前記検出手段が検出したときに前記機器を停止させる制御手段と
を備えてなることを特徴とするステップ装置。
【発明の詳細な説明】
【０００１】
【発明の属する技術分野】
本発明は、ステップ装置に関し、特に、多色刷印刷機などの印刷ユニット間に適用すると有効なものである。
【０００２】
【従来の技術】
多色刷印刷機などの印刷ユニット間には、下方の印刷胴等を覆うステップ板が設けられており、当該ステップ板は、インキ交換や上部のローラ類の保守点検等の際には作業用の足場として利用され、印刷胴の保守点検の際には作業の障害とならないように開放されるようになっている。
【０００３】
このようなステップ板を配設する多色刷印刷機においては、ステップ板の開放時に各種機器を動作させないようにこれら機器の動作を防止する動作防止機構を備えたステップ装置が適用され始めている（例えば、実公平６−４２８４１号公報等参照）。
【０００４】
【発明が解決しようとする課題】
しかしながら、前述したようなステップ装置は、ステップ板が開放しているときにのみ各種機器の動作を防止するだけであるため、インキ交換や上部のローラ類の保守点検等の際に用いた工具箱等の物品をステップ板上に置き残した場合に、刷版自動交換装置等が動作して当該ステップ板上を出入りしてしまうと、当該刷版自動交換装置等を損傷してしまう虞があった。
【０００５】
このようなことから、本発明は、ステップ板を開放している場合やステップ板上に物品を置き残した場合の各種機器の動作を防止することができるステップ装置を提供することを目的とした。
【０００６】
【課題を解決するための手段】
前述した課題を解決するための、本発明によるステップ装置は、開放方向で機器の出入りが行われるステップ板と、前記ステップ板を開閉可能に支持する支持手段と、前記ステップ板の開放及び当該ステップ板に加わる荷重を検出する検出手段と、前記検出手段からの検出信号に基づいて、前記ステップ板を開放しているとき又は当該ステップ板に荷重が加わっているときに前記機器を停止させる制御手段とを備えてなることを特徴とする。
また、本発明によるステップ装置は、開放方向で機器の出入りが行われるステップ板と、前記ステップ板を開閉可能に支持する支持手段と、前記支持手段にかかる荷重から前記ステップ板の開放及び当該ステップ板上の物品の有無を検出する検出手段と、前記検出手段からの検出信号に基づいて、前記ステップ板を開放しているとき又は当該ステップ板上に物品があるときに前記機器を停止させる制御手段とを備えてなることを特徴とする。
また、本発明によるステップ装置は、開放方向で機器の出入りが行われるステップ板と、前記ステップ板を開閉可能に支持する支持手段と、前記支持手段にかかる荷重を検出する検出手段と、前記ステップ板を閉じていて当該ステップ板上に物品が置かれていないときの前記支持手段にかかる荷重を基準とした荷重変動を前記検出手段が検出したときに前記機器を停止させる制御手段とを備えてなることを特徴とする。
【０００７】
【発明の実施の形態】
本発明によるステップ装置を多色刷印刷機などの印刷ユニット間に適用した場合の実施の形態を図１〜４を用いて説明する。なお、図１は側面図、図２は平面図、図３は図２の III−III 線断面矢視図、図４は図１の矢線IV部の内部構造図、図５は図２の矢線Ｖ部の部材の抽出拡大図、図６は図５の矢線VI方向からの外観図である。
【０００８】
図１，２に示すように、印刷ユニット間に設けられたフレーム１ａ〜１ｄには、上部に切欠溝２ａを形成されたブラケット２がそれぞれ取り付けられている。フレーム１ｃ，１ｄ側のブラケット２の外側には、図３に示すように、支持金具３の基端がそれぞれボルト固定されている。これら支持金具３の先端は、係止ピン４の基端をそれぞれ摺動移動可能に支持しており、当該係止ピン４は、上記ブラケット２をそれぞれ摺動移動可能に貫通している。これら係止ピン４の中程に設けられたフランジ４ａと支持金具３の先端との間には、当該係止ピン４を内側に介在させるようにして圧縮コイルばね５がそれぞれ設けられており、当該圧縮コイルばね５は、係止ピン４の先端をブラケット２から突出させるように付勢している。
【０００９】
また、図１，２に示すように、ブラケット２の前記切欠溝２ａ内には、上方に開口した凹型をなす受けブロック６が上下方向へ摺動移動できるようにそれぞれ嵌合している。これらブラケット２の上部の切欠溝２ａ近傍には、上記受けブロック６の当該ブラケット２からの突出を規制する保持プレート７がそれぞれ取り付けられている。上記受けブロック６の下面には、図４に示すように、圧縮コイルばね９を外周に嵌合された小径ロッド８ａを先端に突設した大径ロッド８ｂの基端が連結されており、当該ロッド８ａ，８ｂおよび圧縮コイルばね９は、ブラケット２の上記切欠溝２ａの下面に形成された図示しない孔部に上下方向に摺動移動可能に差し込まれている。
【００１０】
つまり、受けブロック６は、圧縮コイルばね９の付勢力により、上方へ位置するようにブラケット２の切欠溝２ａ内を摺動移動すると共に、前記孔部に嵌合する上記ロッド８ａ，８ｂおよび保持プレート７により、ブラケット２の切欠溝２ａ内から脱落せずに上下方向へ摺動移動できるようにその動きを規制されているのである。
【００１１】
一方、図１，２に示すように、フレーム１ａ〜１ｄ間には、ステップ板１０が配設されている。ステップ板１０の下面の四隅には、ホルダ１１がそれぞれ取り付けられている。これらホルダ１１には、図５，６に示すように、支持ピン１２が当該ホルダ１１の外側面から突出するようにそれぞれ取り付けられており、当該支持ピン１２は、図１，２に示すように、前記受けブロック６に各々着脱可能に差し込まれている。
【００１２】
また、フレーム１ｃ，１ｄ側のホルダ１１の外側面には、図５，６に示すように、円弧状をなすガイド溝１１ａが形成されており、当該ガイド溝１１ａには、前記係止ピン４の先端が係合するようになっている。
【００１３】
図１，２に示すように、受けブロック６のブラケット２の外側面側の下方寄りには、外側へ突出するように略Ｌ字型をなしたドグ１３がそれぞれ取り付けられている。これらドグ１３の上記突出部分には、各種機器を停止させる図示しない制御手段に電気的に接続されたリミットスイッチ１４がそれぞれ連結されている。また、ステップ板１０のフレーム１ｃ，１ｄ側端部には、把手１５ａ，１５ｂが取り付けられている。
【００１４】
なお、本実施の形態では、ブラケット２、受けブロック６、支持ピン１２などにより支持手段を構成し、受けブロック６、保持プレート７、小径ロッド８ａ、大径ロッド８ｂ、圧縮コイルばね９、支持ピン１２、ドグ１３、リミットスイッチ１４などにより検出手段を構成している。
【００１５】
このようなステップ装置の作用を次に説明する。
例えば、ステップ板１０のフレーム１ｂ，１ｄ側を開放する場合には、フレーム１ｄ側の係止ピン４を引っ張って当該係止ピン４の先端をホルダ１１のガイド溝１１ａから外すと共に、フレーム１ａ，１ｃ側の支持ピン１２を中心にステップ板１０を回動させるように把手１５ｂを引き起こすと、この引き起しに伴って、フレーム１ｂ，１ｄ側の支持ピン１２が受けブロック６から外れる一方、フレーム１ｃ側の係止ピン４がホルダ１１のガイド溝１１ａに沿って摺動移動しながらホルダ１１の上端側に外れ、前記圧縮コイルばね５の付勢力により、係止ピン４の先端がホルダ１１の上端側に突出するので、当該係止ピン４がホルダ１１を介してステップ板１０の自重による回動戻りを防止し、ステップ板１０が開放した状態のままで保持される。
【００１６】
このようにしてステップ板１０を開放すると、フレーム１ａ，１ｃ側の支持ピン１２に加わる荷重が大幅に増大し、圧縮コイルばね９の付勢力に抗して受けブロック６が下降し、ドグ１３を介してリミットスイッチ１４が入ることにより、ステップ板１０の開放時の各種機器の動作が防止される。
【００１７】
このようにして開放したステップ板１０を閉じる場合には、フレーム１ｃ側の係止ピン４を引っ張って当該係止ピン４のホルダ１１に対する係止を解除し、フレーム１ａ，１ｃ側の支持ピン１２を中心にステップ板１０を回動させることにより、当初の状態に戻すことができる。
【００１８】
このようにしてステップ板１０を閉じると、各フレーム１ａ〜１ｄ側の各支持ピン１２にかかる負荷が均一になってフレーム１ａ，１ｃ側の支持ピン１２に加わる荷重が当初の状態に戻り、当該フレーム１ａ，１ｃ側の受けブロック６が圧縮コイルばね９の付勢力により押し戻されて上昇し、ドグ１３を介してリミットスイッチ１４が切れることにより、各種機器が動作可能状態となる。
【００１９】
また、ステップ板１０のフレーム１ａ，１ｃ側を開放する場合には、フレーム１ｃ側の係止ピン４を引っ張って当該係止ピン４の先端をホルダ１１のガイド溝１１ａから外すと共に、フレーム１ｂ，１ｄ側の支持ピン１２を中心にステップ板１０を回動させるように把手１５ａを引き起こすと、この引き起しに伴って、フレーム１ａ，１ｃ側の支持ピン１２が受けブロック６から外れる一方、フレーム１ｄ側の係止ピン４がホルダ１１のガイド溝１１ａに沿って摺動移動しながらホルダ１１の上端側に外れ、前記圧縮コイルばね５の付勢力により、係止ピン４の先端がホルダ１１の上端側に突出するので、当該係止ピン４がホルダ１１を介してステップ板１０の自重による回動戻りを防止し、ステップ板１０が開放した状態のままで保持される。
【００２０】
このようにしてステップ板１０を開放すると、フレーム１ｂ，１ｄ側の支持ピン１２に加わる荷重が大幅に増大し、圧縮コイルばね９の付勢力に抗して受けブロック６が下降し、ドグ１３を介してリミットスイッチ１４が入ることにより、ステップ板１０の開放時の各種機器の動作が防止される。
【００２１】
このようにして開放したステップ板１０を閉じる場合には、フレーム１ｄ側の係止ピン４を引っ張って当該係止ピン４のホルダ１１に対する係止を解除し、フレーム１ｂ，１ｄ側の支持ピン１２を中心にステップ板１０を回動させることにより、当初の状態に戻すことができる。
【００２２】
このようにしてステップ板１０を閉じると、各フレーム１ａ〜１ｄ側の各支持ピン１２にかかる負荷が均一になってフレーム１ｂ，１ｄ側の支持ピン１２に加わる荷重が当初の状態に戻り、当該フレーム１ｂ，１ｄ側の受けブロック６が圧縮コイルばね９の付勢力により押し戻されて上昇し、ドグ１３を介してリミットスイッチ１４が切れることにより、各種機器が動作可能状態となる。
【００２３】
一方、例えば、インキ交換や上部のローラ類の保守点検等の際に用いた工具箱等の物品をステップ板１０上に置き残してしまうと、各フレーム１ａ〜１ｄ側の各支持ピン１２にかかる荷重が増大し、圧縮コイルばね９の付勢力に抗して受けブロック６が下降し、ドグ１３を介してリミットスイッチ１４が入ることにより、刷版自動交換装置等のステップ板１０上の出入りが防止される。
【００２４】
このような状態から、ステップ板１０上の物品を撤去すると、各フレーム１ａ〜１ｄ側の各支持ピン１２にかかる荷重が当初の状態に戻り、受けブロック６が圧縮コイルばね９の付勢力により押し戻されて上昇し、ドグ１３を介してリミットスイッチ１４が切れることにより、刷版自動交換装置等のステップ板１０上の出入りが可能となる。
【００２５】
したがって、このようなステップ装置によれば、ステップ板１０を開放している場合や物品を置き残してしまった場合の各種機器の各種機器の動作を同一のリミットスイッチ１４で確実に防止することができるので、低コストで簡単に実用化することができる。
【００２６】
なお、本実施の形態では、支持ピン１２にかかる荷重変動をリミットスイッチ１４により検出するようにしたが、例えば、支持ピン１２にかかる荷重変動に伴うドグ１３の突出部分の上下動を近接センサで検出したり、支持ピン１２にかかる荷重変動を圧力センサで検出することも可能である。
【００２７】
また、本実施の形態では、両開き型のステップ板１０の場合について説明したが、片開き型のステップ板の場合には、ステップ板の開放の際、支持ピンの受けブロックからの離脱に伴う当該受けブロックの上昇により、リミットスイッチが入るようにする一方、ステップ板上への物品の置き残しの際、支持ピンに加わる荷重による受けブロックの下降により、リミットスイッチが入るようにすればよい。つまり、両開き型のステップ板１０の場合には、下降時にのみ作動する二点式のリミットスイッチ１４を用いるのに対し、片開き型のステップ板の場合には、下降時および上昇時に作動する三点式のリミットスイッチを用いるようにすればよい。
【００２８】
【発明の効果】
本発明のステップ装置によれば、検出手段がステップ板の開放及び当該ステップ板に加わる荷重を検出すると、制御手段が検出手段からの検出信号に基づいて機器を停止させるので、ステップ板を開放している場合や物品を置き残してしまった場合等の各種機器の動作を低コストで簡単に防止することが確実にできる。
【図面の簡単な説明】
【図１】本発明によるステップ装置を多色刷印刷機などの印刷ユニット間に適用した場合の実施の形態の側面図である。
【図２】図１の平面図である。
【図３】図２の III−III 線断面矢視図である。
【図４】図１の矢線IV部の内部構造図である。
【図５】図２の矢線Ｖ部の部材の抽出拡大図である。
【図６】図５の矢線VI方向からの外観図である。
【符号の説明】
１ａ〜１ｄ  フレーム
２  ブラケット
２ａ  切欠溝
３  支持金具
４  係止ピン
４ａ  フランジ
５  圧縮コイルばね
６  受けブロック
７  保持プレート
８ａ  小径ロッド
８ｂ  大径ロッド
９  圧縮コイルばね
１０  ステップ板
１１  ホルダ
１１ａ  ガイド溝
１２  支持ピン
１３  ドグ
１４  リミットスイッチ
１５ａ，１５ｂ  把手
【図１】
0003933781.tif 000002
【図２】
0003933781.tif 000003
【図３】
0003933781.tif 000004
【図４】
0003933781.tif 000005
【図５】
0003933781.tif 000006
【図６】
0003933781.tif 000007